(57)【特許請求の範囲】
【請求項１】
内部に向うにしたがってその対向間隔が狭くなる対を成す案内面を有するガイド溝と、前記対を成す案内面にディスクの周縁部を押し付けながらディスクに前記ガイド溝に沿う方向の搬送力を与える搬送手段と、前記ガイド溝および前記搬送手段に対向するディスクの出入口と、前記出入口から離れる位置へ搬送されたディスクを駆動するディスク駆動手段とを有し、
前記ガイド溝と前記出入口との間に検知部材が設けられ、前記検知部材には、前記ディスクの外周縁が入り込む溝部が形成され、この溝部は、対向する内縁部が溝の奥に向うにしたがって互いに接近する形状であり、
前記ディスクの外周縁に押されて前記検知部材がディスクの中心から離れる方向へ所定距離移動したときに、この検知部材によって検知状態が切換えられるスイッチが設けられていることを特徴とするディスク装置。
【請求項２】
ディスクを出入口へ排出させる動作のときに、前記スイッチの検知状態が切換わったことを検知して前記搬送手段によるディスクの排出を停止させる制御部が設けられている請求項１記載のディスク装置。
【請求項３】
前記検知部材の溝部の内縁部の開き角度をφ、前記ガイド溝の案内面の開き角度をθとしたときに、φ＝θ±２°の範囲である請求項１または２記載のディスク装置。
【発明の詳細な説明】
【０００１】
【発明の属する技術分野】
本発明は、ＣＤ（コンパクトディスク）やＤＶＤ（ディジタルバーサタイルディスク）などのディスクが搬送手段で搬入され、且つ排出されるディスク装置に係り、特にディスクの排出時の停止位置のばらつきの発生を防止したディスク装置に関する。
【０００２】
【従来の技術】
図５（Ａ）（Ｂ）は、従来のディスク装置のディスク案内部を示す平面図であり、図６はディスク排出時に搬送を停止させるための検知部材の形状を示している。
【０００３】
図５、図６に示すディスク装置では、Ｘ２側にガイド部材１が設けられ、このガイド部材１には、ディスクの搬送方向（Ｙ１−Ｙ２方向）に延びるガイド溝１Ａが形成されている。図６に示すように、前記ガイド溝１Ａは、上下に対向する案内面１ｂ，１ｂの間隔が溝の奥へ向うにしたがって徐々に狭くなるテーパ溝形状となっている。またＸ１側には前記ガイド溝１Ａに間隔を開けて配置された搬送手段が設けられている。この搬送手段は、例えばＹ１−Ｙ２方向に沿って並ぶ複数のプーリと、このプーリを回転させるモータとを有している。
【０００４】
図６に示すように、ディスクＤは、前記搬送手段によって前記ガイド溝１Ａに押し付けられ、前記搬送手段からディスクＤに対してＹ１−Ｙ２方向への搬送力が与えられる。この搬送力により、ディスクＤの外周縁が前記ガイド溝１Ａ内を転動するようにして搬送される。
【０００５】
図５（Ａ），（Ｂ）に示すように、前記ガイド部材１の排出方向の端面１Ｂには、Ｙ２方向へのディスクＤの排出状態を検知する検知手段２が設けられている。前記検知手段２には、図示Ｘ１−Ｘ２方向に移動可能な検知板２Ａが設けられており、前記検知板２Ａは、スプリング３によって、前記ガイド溝１Ａを遮る方向へ付勢されている。また前記検知手段２では、前記検知板２ＡがＸ２方向へ所定距離移動したときにＯＮに切り換わるスイッチ４が設けられている。
【０００６】
再生動作や記録動作が完了したディスクＤは、前記搬送手段によってＹ２方向へ移送される。ディスクＤが前記ガイド溝１Ａ内を転動してＹ２方向へ移動する際に、ディスクＤの外周縁が前記検知板２Ａの先端２ａに当たる。その後はＹ２方向へ移動するディスクＤの円弧状の外周縁に押されて、検知板２ＡがＸ２方向へ押され、スイッチ４がＯＮに切換えられる。このスイッチ４の切換え信号によって前記搬送手段が停止し、ディスクＤが停止する。
【０００７】
停止したディスクＤのＹ２側の一部は、筐体に設けられた出入口から突出し、出入口の外からディスクＤを引き出すことができるようになる。また、ディスクＤが引き抜き出されると、検知板２ＡがＸ１方向へ復帰し、スイッチ４がＯＦＦに切換えられて、ディスクＤが取り出されたことが検知される。
【０００８】
【発明が解決しようとする課題】
しかし、ＣＤやＤＶＤなどのディスクＤは、板厚寸法に公差が認められており、ディスク装置には、前記公差の範囲内で異なる板厚寸法のディスクが装填される可能性がある。
【０００９】
図５（Ａ）は大きな板厚寸法ｄ１のディスクＤ１が装填された場合を示し、図６（Ａ）は図５（Ａ）のＩＶＡ矢視図である。図５（Ｂ）は小さな板厚寸法ｄ２のディスクＤ２が装填された場合を示し、図６（Ｂ）は図５（Ｂ）のＩＶＢ矢視図である。
【００１０】
図６（Ａ）（Ｂ）に示すように、ディスクは前記ガイド溝１Ａ内の上下の案内面１ｂ，１ｂに接触した状態で転動しながら搬送されるが、大きな板厚寸法ｄ１のディスクＤ１と、小さな板厚寸法ｄ２のディスクＤ２とでは、前記ガイド溝１Ａ内への入り込み寸法が相違することになる。
【００１１】
前記のように、検知板２Ａはその先端２ａがディスクの外周縁で押されてＸ２方向へ移動する。図６（Ａ）（Ｂ）は、ディスクＤ１とディスクＤ２がＹ２方向の同じ位置まで排出された時点での検知板２Ａの動きの違いを示している。図６（Ａ）のように、厚いディスクＤ１のときは、前記検知板２Ａの先端２ａが押されて移動する距離がδ１であるのに対し、図６（Ｂ）のように薄いディスクＤ２のときは、検知板２Ａの先端２ａが押されて移動する距離は前記δ１よりも長いδ２となる。
【００１２】
前述のように、ディスクＤがＹ２方向へ排出されるときには、検知板２ＡがＸ２方向へ所定距離だけ移動したときにスイッチ４がＯＮに切り換わるように検知装置２が設定され、前記ＯＮのときに搬送装置が停止させられる。前記のようにディスクＤの板厚寸法の違うディスクが排出される場合、厚いディスクＤ１の場合には、ディスクＤ１が図５（Ａ）の位置まで搬出されたときにスイッチ４がＯＮにディスクＤ１への搬送力が断たれ、薄いディスクＤ２の場合には、ディスクＤ２が図５（Ｂ）の位置まで搬出されたときにスイッチ４がＯＮになって、ディスクＤ２への搬送力が断たれる。
【００１３】
図５（Ａ）（Ｂ）から明らかなように、ディスクへの搬送力を断たれた時点でのディスクＤ１の停止位置と、ディスクＤ２の停止位置とがかなり相違することになる。図５（Ａ）では出入口からのディスクＤ１の突出寸法が長く、図５（Ｂ）では出入口からのディスクＤ２の突出寸法が短くなり、製品としては動作バラツキの大きい装置のように見えてしまう。
【００１４】
また図５（Ｂ）では出入口からのディスクの突出寸法が短いため、出入口から突出しているディスクＤ２を手で掴んで取り出しにくいものとなる。
【００１５】
本発明は、上記従来の課題を解決するためのものであり、異なる板厚寸法のディスクが排出される際に、ディスクの停止位置のばらつきを少なくできるディスク装置を提供することを目的としている。
【００１６】
【課題を解決するための手段】
本発明のディスク装置は、内部に向うにしたがってその対向間隔が狭くなる対を成す案内面を有するガイド溝と、前記対を成す案内面にディスクの周縁部を押し付けながらディスクに前記ガイド溝に沿う方向の搬送力を与える搬送手段と、前記ガイド溝および前記搬送手段に対向するディスクの出入口と、前記出入口から離れる位置へ搬送されたディスクを駆動するディスク駆動手段とを有し、
前記ガイド溝と前記出入口との間に検知部材が設けられ、前記検知部材には、前記ディスクの外周縁が入り込む溝部が形成され、この溝部は、対向する内縁部が溝の奥に向うにしたがって互いに接近する形状であり、
前記ディスクの外周縁に押されて前記検知部材がディスクの中心から離れる方向へ所定距離移動したときに、この検知部材によって検知状態が切換えられるスイッチが設けられていることを特徴とするものである。
【００１７】
また、ディスクを出入口へ排出させる動作のときに、前記スイッチの検知状態が切換わったことを検知して前記搬送手段によるディスクの排出を停止させる制御部が設けられているものである。
【００１８】
本発明では、前記検知部材の溝部が、前記ガイド溝と同じテーパ溝であるため、厚いディスクが移送されるときと、薄いディスクが移送されるときとで、前記ディスクに押されて移動する検知部材の移動タイミングのばらつきを小さくでき、ディスクの位置を検知するときのタイミングの誤差を小さくできる。
【００１９】
よって、例えばディスクを所定距離排出させ、前記検知部材の検知動作に基づいてディスクを停止させるときに、ディスクの停止位置が大きくばらつくのを防止できる。
【００２０】
前記において、前記検知部材の溝部の内縁部の開き角度をφ、前記ガイド溝の案内面の開き角度をθとしたときに、φ＝θ±２°の範囲であれば、ディスクの停止位置のばらつきをさらに小さくできる。
【００２１】
【発明の実施の形態】
以下、本発明について図面を参照して説明する。
【００２２】
図１は本発明のディスク装置の主要部を示す平面図、図２は図１における矢視ＩＩ方向からみた検知部材の正面図、図３（Ａ）（Ｂ）は、板厚寸法の相違するディスクが検知部材と当接した状態を示す図２と同じ正面図、図４（Ａ）（Ｂ）は板厚寸法の相違するディスクが排出されるときの停止位置を示す平面図である。
【００２３】
図１に示すディスク装置１１は、シャーシ１２の図示Ｙ２側に、ノーズ部と称されるパネルが設けられ、このパネルにディスクＤが挿入され排出される出入口１２Ａが設けられている。このディスク装置１１に装填されるディスクは、直径が１２ｃｍのＣＤ、ＤＶＤ、ＣＤ−ＲＯＭなどである。または直径が８ｃｍのディスクが挿入されるものであってもよい。
【００２４】
前記出入口１２Ａの内側には、ディスクＤを導入方向（Ｙ１方向）および排出方向（Ｙ２方向）に案内するガイド部材１５と、前記ガイド部材１５に沿ってディスクＤを搬送する搬送手段１７とが、Ｘ方向に間隔を開けて配置されている。前記ガイド部材１５と前記搬送手段１７の奥側には、ターンテーブル１８Ａおよびピックアップ機構１８Ｂなどを有するディスク駆動手段１８が設けられている。
【００２５】
前記ガイド部材１５は図示Ｙ方向に延びており、その内側面には全長に渡って、断面がテーパ形状のガイド溝１５Ａが形成されている。図２に示すように、前記ガイド溝１５Ａの内部には、上下に対向する案内面１５ａ，１５ｂが形成されており、前記案内面１５ａ，１５ｂは、ガイド溝１５Ａの奥に向うにしたがって対向間隔が徐々に狭くなるように形成されている。
【００２６】
この実施の形態では、前記案内面１５ａと案内面１５ｂが、図２の左右に延びる水平面Ｈ−Ｈに対して上下に同じ角度で傾斜したテーパ面である。また、図２では、前記案内面１５ａと案内面１５ｂとの相互の開き角度をθで示している。なお、前記水平面Ｈ−Ｈに対する前記案内面１５ａの傾斜角度と、前記水平面Ｈ−Ｈに対する前記案内面１５ｂの傾斜角度が相違していてもよい。
【００２７】
また、前記案内面１５ａと案内面１５ｂとの対向間隔は、ディスク装置に装填されるディスクの外周縁が、前記両案内面１５ａと１５ｂに必ず当たるように設定されている。
【００２８】
前記搬送手段１７は、Ｙ方向に沿って並ぶ複数の搬送プーリ１７ａ，１７ｂ，１７ｃ，１７ｄ…を有している。各搬送プーリは、その上下に設けられたフランジの間にディスクＤの外周縁を挟持できる形状である。各搬送プーリ１７ａ，１７ｂ，１７ｃ，１７ｄには、駆動モータＭの動力が伝達ギヤ群を介して伝達され、各搬送プーリは互いに同期して時計方向および反時計方向に回転させられる。
【００２９】
また、最も出入口１２Ａに近い搬送プーリ１７ａは、付勢アーム１７ｅに回動自在に支持されている。前記付勢アーム１７ｅは、前記伝達ギヤ群の一つであるギヤ１７ｇの支持軸１７ｆに回動自在に支持されているとともに、前記付勢アーム１７ｅは、スプリングにより常に時計方向へ付勢されている。よって、ディスクＤが出入口１２Ａの近くに位置するとき、このディスクＤは前記付勢力が与えられた搬送プーリ１７ａによって、前記ガイド溝１５Ａの上下の案内面１５ａ，１５ｂに押し付けられる。
【００３０】
シャーシ１２内部のＸ２側には、検知部材１６が設けられている。前記検知部材１６は、金属板または合成樹脂などで形成されたものであり、シャーシ１２の底面に固定された支持軸１６Ａに回転自在に支持されている。前記検知部材１６の先端には、ガイド部材１５の前端１５Ｂと出入口１２Ａとの間に位置する検知部１６Ｂが設けられている。
【００３１】
図２に示すように、前記検知部１６Ｂの先端には、溝部１６Ｃが形成されている。この溝部１６Ｃは、上下に対向して溝部の内部に至るにしたがって対向間隔が徐々に狭くなる上側の内縁部１６ａと下側の内縁部１６ｂを有するテーパ溝である。前記内縁部１６ａと内縁部１６ｂは、前記ガイド溝１５Ａの案内面１５ａ，１５ｂと同じ方向へ傾斜している。
【００３２】
前記内縁部１６ａと内縁部１６ｂとの開き角度をφ、前記ガイド溝１５Ａの案内面１５ａと案内面１５ｂとの開き角度をθとしたときに、φ＝θ±２度の範囲が好ましい。さらには、開き角度φと開き角度θとが一致（φ＝θ）していることが好ましい。
【００３３】
前記検知部材１６の基端部には折曲片１６Ｄが形成されている。前記検知部材１６が支持軸１６Ａを支点として時計方向へ回動したときの前記折曲片１６Ｄの回動軌跡上に、検知スイッチ２０が設けられている。前記検知部材１６が時計方向へ所定量回動すると、折曲片１６Ｄによって前記検知スイッチ２０のアクチュエータ２０ａが押され、検知スイッチ２０の検知状態がＯＮに切り換えられる。
【００３４】
前記検知部材１６は、コイルスプリング、板ばねなどの付勢部材１９によって反時計方向に付勢されている。
【００３５】
ディスクＤが検知部１６Ｂに当たっていないときには、前記付勢部材１９の付勢力により、前記検知部材１６が反時計方向へ回動させられており、図２に示すように前記検知部１６Ｂによって、ガイド溝１５Ａが塞がれている。
【００３６】
また、図１に示すように、ディスク装置にはＣＰＵを主体とした制御部が設けられ、前記検知スイッチ２０の検知出力が前記制御部に与えられる。また前記駆動モータＭは前記制御部により制御される。
【００３７】
このディスク装置の搬送動作および検知動作を説明する。
出入口１２Ａから挿入されたディスクＤは、図１に示すようにＸ２側の縁部がガイド溝１５Ａに差し込まれる。このとき、搬送手段１７の搬送プーリ１７ａの時計方向への回動付勢力によって、図３（Ａ）（Ｂ）に示すように、ディスクＤのＸ２側の縁部がガイド溝１５Ａの案内面１５ａと案内面１５ｂに押し付けられる。
【００３８】
そして搬送プーリ１７ａ，１７ｂ，１７ｃ，１７ｄ，…が時計方向へ同期して回転すると、ディスクＤはガイド溝１５Ａ内を転動してディスク自らが反時計方向へ回転しながら前記ディスク駆動手段１８まで搬送される。また、搬送プーリ１７ａ，１７ｂ，１７ｃ，１７ｄ，…が反時計方向へ同期して回転すると、ディスクＤはガイド溝１５Ａ内を転動してディスク自らが時計方向へ回転しながら前記出入口１２Ａに向けて搬送される。
【００３９】
ディスクＤが出入口１２Ａから挿入されるときには、前記ディスクＤの左側の縁部が検知部材１６の検知部１６Ｂに形成された溝部１６Ｃ内に入り込み、ディスクＤがＹ１方向へ押し込まれる力によって、検知部材１６が時計方向へ回動し、検知部材１６が時計方向へ所定角度回動すると、前記折曲片１６Ｄによって検知スイッチ２０のアクチュエータ２０ａが押され、検知スイッチ２０の検知状態がＯＮに切換えられる。これにより、ディスクＤが所定位置まで挿入されたことが検知される。
【００４０】
挿入時の前記検知動作に基づいて、制御部では駆動モータＭを始動する制御を行うことができ、または前記検知動作を利用して挿入されたディスクの直径を判別することも可能である。
【００４１】
また、ディスクＤが排出されるときも同様にであり、ガイド溝１５Ａに沿ってＹ２方向へ搬送されたディスクのＸ２側の縁部が前記検知部材１６の検知部１６Ｂに形成された溝部１６Ｃ内に入ると、ディスクＤのＹ２方向への移動力によって検知部材１６が時計方向へ回動させられ、前記折曲片１６Ｄによって検知スイッチ２０のアクチュエータ２０ａが押され、検知スイッチ２０の検知状態がＯＮに切換えられる。
【００４２】
制御部では、前記検知スイッチ２０がＯＮとなったことを認識した瞬間に、前記駆動モータＭを止めるような制御が行われる。この制御により、ディスクＤへの搬送力の伝達が断たれ、ディスクＤはガイド溝１５Ａと搬送プーリ１７ａとで挟まれた状態で停止する。このときディスクＤのＹ２側の一部が出入口１２Ａから突出する。
【００４３】
よって、出入口１２Ａから突出したディスクＤを手で掴んで取出すことができる。ディスクＤが取出されると、ディスクＤの縁部が検知部材１６から離れ、検知部材１６は付勢部材１９によって反時計方向へ回動させられる。このとき検知スイッチ２０がＯＦＦに切換えられ、制御部はディスクが取出されたことを認識できる。
【００４４】
図３（Ａ）は、大きな板厚寸法ｄａのディスクＤａがガイド溝１５Ａに案内されている状態を示し、図３（Ｂ）は、小さな板厚寸法ｄｂのディスクＤｂがガイド溝１５Ａに案内されている状態を示している。
【００４５】
ディスクＤはその外周縁がガイド溝１５Ａの案内面１５ａと１５ｂに押し付けられて転動するものであるが、図３（Ａ）に示すように、板厚寸法の大きいディスクＤａはガイド溝１５Ａ内への入り込み寸法が浅く、図３（Ｂ）に示すように、板厚寸法の小さいディスクＤａはガイド溝１５Ａ内への入り込み寸法が深くなる。
【００４６】
ここで、前記検知部材１６の溝部１６Ｃの内縁部１６ａと内縁部１６ｂの開き角度φと、ガイド溝１５Ａの案内面１５ａと案内面１５ｂとの開き角度θとが、完全に一致していると、ディスクＤと前記溝部１６Ｃとの関係は、ディスクＤとガイド溝１５Ａとの関係と全く同じになる。すなわち、図３（Ａ）に示す厚いディスクＤａは溝部１６Ｃ内に浅く入り込み、図３（Ｂ）に示す薄いディスクＤｂは溝部１６Ｃ内に浅く入り込む。そしてディスクＤａとディスクＤｂが、ガイド溝１５Ａ内に入り込んだ状態での深さの差Δは、ディスクＤａとディスクＤａが溝部１６Ｃ内に入り込んだときの深さの差と全く同じになる。
【００４７】
ディスクＤがＹ２方向またはＹ１方向へ移動するとき、前記検知部材１６の溝部１６Ｃに対向するディスク外周縁の位置が、ディスクＤの移動に応じてＸ２方向に移動しまたはＸ１方向へ移動する。前記溝部１６Ｃは、このディスクＤの外周縁の位置の変化に押されてＸ２方向へ移動し、またはＸ１方向に戻される。
【００４８】
前記のように、前記φ＝θであれば、図３（Ａ）において、ディスクＤの外周縁に押されて検知部材１６の検知部１６ＢがＸ２方向へδａだけ移動する間における、ディスクＤのＹ１方向またはＹ２方向への移動距離と、図３（Ｂ）において検知部材１６の検知部１６Ｂが前記と同じδａだけＸ２方向へ押される間の、ディスクＤのＹ１方向またはＹ２方向の移動距離が一緒である。
【００４９】
したがって、図４（Ａ）（Ｂ）に示すように、Ｙ２方向へ排出されていくディスクの中心が、検知部１６Ｂの側方位置に至ったとき、すなわちディスクＤの最大幅の部分が前記検知部１６Ｂに至ったときに、時計方向へ回動する検知部材１６によって検知スイッチ２０がＯＮとなるように設定しておくと、厚いディスクＤａであっても、薄いディスクＤｂであっても、ディスクの中心が前記検知部１６Ｂに並ぶ位置まで排出されたときに検知スイッチ２０がＯＮに切換えられる。よって搬出されるディスクは板厚が相違していても、図４（Ａ）（Ｂ）に示す同じ位置に停止し、出入口１２ＡからのディスクＤの突出量が同じになる。
【００５０】
このような状態に設定する条件は、前記検知部材１６の溝部１６Ｃの開き角度φと、ガイド溝１５Ａの開き角度θとを一致させることであり、例えば、ガイド溝１５Ａと前記溝部１６Ｃの溝の深さが相違していてもかまわない。
【００５１】
また、実際に前記溝部１６Ｃの開き角度φとガイド溝１５Ａの開き角度θを完全に一致させることは困難でるあるが、前記開き角度の差が４度以内、すなわちφ＝θ±２度程度であれば、１２ｃｍのディスクの排出停止時の停止位置の誤差をほとんど目立たない範囲にできる。
【００５２】
また、開き角度φとθとの関係を前記のように設定しておけば、ディスクＤを出入口１２Ａから挿入するときに、厚いディスクＤａであっても、薄いディスクＤｂであっても、同じ距離だけ挿入した時点で検知スイッチ２０をＯＮに切換えることができる。例えばこの検知スイッチ２０のＯＮの切換えに同期させて搬送手段１７を始動させれば、常にディスクを同じ寸法だけ挿入したときに駆動モータＭがＯＮになり、使用者は動作の均一感を得ることができる。
【００５３】
なお、前記実施の形態では搬送手段１７として、複数の搬送プーリを有するものが使用されているが、前記搬送手段としてＹ方向への搬送力を発揮する搬送ベルトが用いられているものであってもよい。
【００５４】
また図４において、Ｙ２方向へ排出されるディスクよって検知部材１６が時計方向へ回動させられ検知スイッチ２０がＯＮになった後に、さらにディスクＤがＹ２方向へ移動して、検知部材１６が付勢部材１９により反時計方向へ戻され、前記検知スイッチ２０がＯＮからＯＦＦに変化した時点で、駆動モータＭを停止してもよい。このように構成すると、出入口１２Ａからのディスクの突出量が図４の状態よりもさらに長い状態のときにディスクの搬出を停止でき、出入口１２Ａからのディスクの突出量を大きくでき、ディスクを手で引き出しやすくなる。
【００５５】
この場合も開き角度φとθとの関係を前記のように設定しておけば、厚いディスクＤａであっても薄いディスクＤｂであっても、出入口１２Ａからの突出量のばらつきを小さくできる。
【００５６】
また、上記実施の形態では、検知部材１６がディスクＤの縁部に押圧されたときに、支持軸１６Ａを中心に回動するものであるが、検知部材１６がディスクＤの縁部に押されたときにＸ２方向へ直線的に移動するスライド部材であり、このスライド部材により検知スイッチが切り換えられるものであってもよい。
【００５７】
また前記検知スイッチは、押圧スイッチ以外のスイッチ、例えばホトセンサなどを使用したものであってもよい。
【００５８】
【発明の効果】
以上詳述した本発明によれば、異なる板厚寸法のディスクであっても、ディスク搬送位置の検出を均一にでき、例えばスイッチの検出出力によってディスクの排出動作を停止させる場合に、停止したディスクが出入口から常に同じ寸法だけ突出できるようになる。
【図面の簡単な説明】
【図１】本発明のディスク装置の主要部を示す平面図、
【図２】ガイド溝と検知部材を示す図１のＩＩ矢視の正面図、
【図３】（Ａ）は厚いディスクの場合の図２と同じ正面図、（Ｂ）は薄いディスクの場合の図２と同じ正面図、
【図４】ディスクの排出動作を示す平面図であり、（Ａ）は厚いディスクの場合、（Ｂ）は薄いディスクの場合を示す、
【図５】従来のディスク装置におけるディスクの排出動作を示す平面図であり、（Ａ）は厚いディスクの場合、（Ｂ）は薄いディスクの場合を示す、
【図６】ディスクの検知動作を示すものであり、（Ａ）は図５（Ａ）のＩＶＡ矢視の正面図、（Ｂ）は図５（Ｂ）のＩＶＢ矢視の正面図、
【符号の説明】
１１  ディスク装置
１２Ａ  出入口
１５  ガイド部材
１５Ａ  ガイド溝
１５Ｂ  端面
１５ａ，１５ｂ  案内面
１６  検知部材
１６Ｂ  検知部
１６Ｃ  溝部
１６ａ，１６ｂ  内縁部
１７  搬送手段
２０  検知スイッチ
φ  検知部材の溝部の内縁部の開き角度
θ  ガイド溝の案内面の開き角度
【図１】
0003961227.tif 000002
【図２】
0003961227.tif 000003
【図３】
0003961227.tif 000004
【図４】
0003961227.tif 000005
【図５】
0003961227.tif 000006
【図６】
0003961227.tif 000007